(57)【特許請求の範囲】
【請求項１】
結束用紐を通すための中央穴と相互に係合する係着部を夫々有する装飾体及びハトメ基体を備え、前記係着部で取付対象生地を貫通挟持して一体となるハトメにおいて、
装飾体は、筒状の周壁の一部に結束用紐の幅寸法に対応した幅寸法の切欠部を形成したことを特徴とするハトメ。
【請求項２】
切欠部は、結束用紐の幅寸法と厚み寸法に対応したスリットとしたことを特徴とする請求項１記載のハトメ。
【請求項３】
切欠部は、結束用紐の幅寸法と厚み寸法に対応した貫通穴と該貫通穴の上部から周壁の上端まで結束用紐の厚み寸法を確保した幅寸法で連続した開口部とを備えることを特徴とする請求項１記載のハトメ。
【請求項４】
切欠部は、結束用紐の幅寸法と厚み寸法に対応した貫通穴を形成したことを特徴とする請求項１記載のハトメ。
【請求項５】
切欠部の構成が、請求項２乃至請求項４記載の切欠部の構成のうち、二種以上の切欠部を有することを特徴とする請求項１記載のハトメ。
【請求項６】
ハトメ基体の底面にハトメ基体側意匠形成部を設けたことを特徴とする請求項１、２、３、４又は５記載のハトメ。
【発明の詳細な説明】
【技術分野】
【０００１】
本発明は、靴や衣服、鞄等（以下、取付対象物品）における取付対象生地に取着し、結束用紐を通すために使用されるハトメに関する。
【背景技術】
【０００２】
靴の甲部や衣服の前部、鞄の開口部等に対して、複数のハトメを生地に取付け、該ハトメの中央に形成された中央穴に紐を通し、結束することが、慣用されている。また、このような用途に用いるハトメは、靴や衣服に使用されるという特質上、単に機能性を有するだけではなく、多くの場合、ファッション性を兼備する必要がある。このため靴や衣服に使用されるハトメは、外観体裁について洗練されたものが多い。例えばハトメを合成樹脂や金属を用いて形成し、その外面に創作的な意匠を付加することがなされている。
【０００３】
上記した靴の甲部や衣服の前部等に対して、複数のハトメを生地に取付け、該ハトメの中央に形成された中央穴に紐を通し結束するハトメを示す具体的な例としては、合成樹脂、金属等の硬質材料からなる雌体を、係止穴（ハトメの中央穴）を貫通させた環状体とし、前記係止穴に、その底面から頂面に向かって拡開されるテーパ面を形成するとともに、フランジ部と、布帛等の装着対象物を挟み、前記筒状片を前記雌体の頂面側から挿入される成形型で係止穴のテーパ面に密着するように拡開し、かしめ止めする構成のハトメ（例えば、特許文献１参照。）が公知である。
【０００４】
【特許文献１】実開平５−８０３１２号公報
【発明の開示】
【発明が解決しようとする課題】
【０００５】
上記特許文献１に開示されるような従来のハトメは、取付対象物品に対して取着し、各ハトメの中央穴に対して結束用紐の一端を連通させ、結束用紐の両端を引張り締め付け、該結束用紐の両端を結束することで、結束用紐を用いて結束することができる。
【０００６】
ところが、従来のハトメを靴の甲部や衣服の前部等に対して取着して結束用紐で結束した状態では、当該靴や衣服の日常での使用により、ハトメに対して結束用紐が貫通する方向に容易にずれることがあり、結束用紐の緩みの一因となっていた。
【０００７】
また結束用紐の締め付けが不十分であったり、上記に示した理由によって結束用紐に緩みがあると、ハトメの穴の縁に沿って周方向にも結束用紐がずれることとなり、更に結束用紐の緩みが大きくなることにつながっていた。
【０００８】
結束用紐のうちハトメを貫通する箇所は、結束する際の折り返し箇所となり、外力の作用が集中しやすく、更にハトメと接触することで磨耗を招来しやすいのであるが、上記したようにハトメと結束用紐とのずれが多発して結束用紐の磨耗が生じ、長期間の使用によって、前記磨耗が進行し、最終的に結束用紐が切断されることもある。
【０００９】
これに加え、ハトメ上に結束用紐が覆い被さり、図２７に例示するように、取付対象生地９２に取着したハトメ９０の外側に大きく結束用紐９１が露呈することで、結束用紐９１が他物と接触しやすくなる欠点がある。また、外力の作用を受けやすくなることで、更に結束用紐が切断される頻度も高くなる。
【００１０】
一方、ハトメは、単にその機能面について充足すればよいものではなく、上記したように、その外観体裁も重要である。外観体裁を向上させるために、ハトメの外面側には種々の意匠が施されることがある。
【００１１】
しかしながら、結束用紐をハトメの穴に通して結束を行うと、結束用紐がハトメの外面の一部の上に覆い被さることで、該ハトメの外面に施される意匠を隠すこととなる。また、前記結束用紐の幅や厚みが大きいほど、この傾向は大きくなり、ハトメの外面に施した意匠が無意味となる結果を招来する。
【００１２】
本発明は、以上の事情に鑑みてなされたものであり、結束用紐の緩みを抑制し、長期間の使用によって生ずる大きな磨耗や紐の切断を防止し、ハトメの外面に形成される意匠が発揮できる形態を保持することが可能となる、優れたハトメの提供を、発明が解決しようとする課題とするものである。
【課題を解決するための手段】
【００１３】
結束用紐を通すための中央穴と相互の係着部を夫々有する装飾体とハトメ基体からなり、前記係着部で取付対象生地を貫通挟持して一体となるハトメにおいて、装飾体は、筒状の周壁の一部に結束用紐の幅寸法に対応した幅寸法の切欠部を形成したことを特徴とするハトメを、課題を解決するための手段とする。尚、本発明の切欠部の幅寸法に関して、「結束用紐の幅寸法に対応した幅寸法の切欠部」とは、必ずしも切欠部の幅が結束用紐の幅寸法以上であることを要するものではなく、切欠部の幅が結束用紐の幅寸法以下であっても結束用紐の通過を許容する幅寸法であればよい趣旨である。
【発明の効果】
【００１４】
請求項１に係る発明によれば、装飾体は、筒状の周壁の内側縁に前記係着部を備え、該周壁の一部に結束用紐の幅寸法に対応した幅寸法の切欠部を形成したことから、取付対象生地の裏面側から中央穴を通して表面側に露呈する結束用紐が、前記周壁の一部に形成した切欠部に嵌り込み、切欠部における内壁が結束用紐との間に摩擦抵抗を生ずるため、ハトメに対して結束用紐が貫通する方向のずれを低減することができる。
【００１５】
また、同構成によって、切欠部における内壁が結束用紐は、切欠部における内壁が、結束用紐の周方向への移動を直接結束用紐に当接することで結束用紐のずれや緩みを防止する。
【００１６】
従って、上記ずれを防止することで、結束用紐の磨耗から長期間の使用によって最終的に結束用紐が切断されるという事態を防止することができる。
【００１７】
また、ハトメの装飾体の周縁上に結束用紐が覆い被さることがないので、結束用紐が他物と接触しがたくなり、不慮の外力の作用を受けにくく、結束用紐を長期に亘って使用することができる。
【００１８】
更に、ハトメの装飾体の周縁上に結束用紐が覆い被さることがないことから、周壁の上面に形成される意匠が結束用紐で隠されることがなく、意匠の創作による効果を得ることができる。
【００１９】
また、周壁の一部に結束用紐の幅に応じた幅の切欠部を形成したことによって、紐の向きを一定に位置決めすることができることから、ハトメの取り付ける向きを設定することで、取付対象物品に対する結束用紐の外観上のレイアウトを自由に設定することができ、取付対象物品の意匠性を向上させることができる。
【００２０】
請求項２に係る発明によれば、請求項１に係る発明における切欠部の構成を、結束用紐の幅寸法と厚み寸法を確保したスリットとしたことによって、結束用紐をスリットに押し込むことによって簡単に装着することができるため、上記請求項１に係る発明の効果に加えて、利便性を向上させることができる。
【００２１】
請求項３に係る発明によれば、請求項１に係る発明における切欠部の構成を、結束用紐の幅寸法と厚み寸法を確保した貫通穴と該貫通穴の上部から周壁の上端まで結束用紐の厚み寸法を確保した幅で連続した開口部とを備える構成としたことによって、結束用紐の側面側を開口部へ進入させて貫通穴へ結束用紐を導入するため、一旦結束用紐を貫通穴内に導入すると、開口部から結束用紐が容易には離脱しないため、不慮の結束用紐の外れを防止することができる。
【００２２】
請求項４に係る発明によれば、請求項１に係る発明における切欠部の構成を、切欠部は結束用紐の幅寸法と厚み寸法を確保した貫通穴を形成した構成としたことから、周壁上面に切欠部が形成されないため全体に意匠を形成することができるとともに、ハトメから結束用紐が外れることがない。
【００２３】
また、請求項５に係る発明によれば、一のハトメに複数の形状を有する切欠部を形成することによって、意匠性の変更等に最適な切欠部を選択し、或いは使用状況に応じた機能的な切欠部を選択することができ、使用者の利便性向上に資することができる。
【００２４】
請求項６に係る発明によれば、上記請求項１乃至請求項５に係る発明の構成に加えて、ハトメ基体側にハトメ基体側意匠形成部を設けたことによって、取付対象生地の表面側、裏面側の双方において、意匠による美感を起こさせることができるため、請求項１乃至請求項５に係る発明の機能性を確保した上で、外観体裁をより一層良好とすることができる。
【発明を実施するための最良の形態】
【００２５】
結束用紐を通すための中央穴と相互の係着部を夫々有する装飾体とハトメ基体からなり、前記係着部で取付対象生地を貫通挟持して一体となるハトメにおいて、装飾体は、筒状の周壁の内側縁に前記係着部を備え、該周壁の一部に結束用紐の幅寸法に対応した幅寸法の切欠部を形成し、該切欠部は、結束用紐の幅寸法と厚み寸法を確保した貫通穴を備えるハトメとしたことによって、取付対象生地の裏面側から中央穴を通して表面側に露呈する結束用紐が、前記周壁の一部に形成した切欠部に嵌り込み、切欠部における内壁が結束用紐との間に摩擦抵抗を生ずること、及び、切欠部における内壁が、結束用紐の周方向への移動を直接結束用紐に当接することで結束用紐のずれや緩みを防止すること等によって、結束用紐の磨耗を防止し、結束用紐が表面側に施された意匠を隠すことなく、紐の向きを一定に位置決めすることのできる優れたハトメを実現した。
【実施例】
【００２６】
（実施例１）
図１は本発明の実施例１に係るハトメ１における装飾体２とハトメ基体３を示す斜視図、図２は同実施例１に係るハトメ１における装飾体２の（イ）平面図、（ロ）Ａ−Ａ断面図、（ハ）正面図（背面図、右側面図、左側面図は同一につき省略する。）、図３は同実施例１に係るハトメ１における装飾体２の（イ）底面図、及び、（ロ）装飾体２とハトメ基体３とを係着した状態を示す説明断面図、（ハ）結束用紐を通した状態を示す一部断面説明図である。
【００２７】
本発明の実施例１に係るハトメ１は、金属製の装飾体２と金属製のハトメ基体３からなるものであり、前記装飾体２及びハトメ基体３を、相互の係着部で取付対象生地４０を貫通挟持して一体とするものである。
【００２８】
本実施例１に係る装飾体２は、結束用紐５を通すための中央穴２（装飾体側中央穴２０）を形成する筒状の周壁２２を有し、該周壁２２の下端側の内側縁から内側へ係着部２１を延設している。
【００２９】
前記周壁２２のうち、開口部２２２は平面視において円形輪郭の中心を軸として９０度間隔で四箇所にスリット状の切欠部２２０を形成している。切欠部２２０は、使用する結束用紐５の幅寸法ｗａと同じ幅寸法ｗｂ、及び使用する結束用紐５の厚み寸法ｔａより僅かに大きい高さ寸法ｈｂで形成してある。
【００３０】
また、装飾体２の周壁２２の上面（開口部２２２を形成した部分を除く）は、意匠を形成するための意匠形成部２３としている。
【００３１】
ハトメ基体３の構成は、従来のハトメにおいて用いられる公知の構成である。具体的には図１７に示すように、平面視円形状の外径輪郭を有する板状体３１の中央に、中央穴（基体側中央穴３２）と筒状の係合脚３０を有するものである。ハトメ基体３を前記装飾体２の下方に位置させ、装飾体２とともに取付対象物４の取付対象生地４０を挟持貫通して、装飾体２の係着部２１に対してハトメ基体３の係着部である係合脚３０の先端側をかしめ止めすることによって、離脱不能な状態で係着するものである。
【００３２】
取付対象生地４０の下方に位置するハトメ基体３の係合脚３０で前記取付対象生地４０を貫いて、装飾体２の係着部２１に対して前記ハトメ基体３の係合脚３０をかしめ止めすることで、ハトメ基体３と装飾体２は一体となり取付対象生地４０に取着される。尚、装飾体とハトメ基体を一体とすることで、取付対象生地４０におけるハトメの中央部に対応する位置には生地穴部が形成される。
【００３３】
本実施例１に係るハトメ１によれば、周壁２２のうち、開口部２２２は平面視において円形輪郭の中心を軸として９０度間隔で四箇所にスリット状の切欠部２２０を形成したことから、基体側中央穴３２及び装飾体側中央穴２０で構成される中央穴を通した結束用紐５を、開口部２３上に載せるだけで、容易に結束用紐５を保持させることができ、取付対象物品に装着した際の利便性を著しく向上させることができる。
【００３４】
尚、本実施例１におけるスリット状の切欠部２２０は、開口部２２２の幅寸法と切欠部下端の幅寸法を同じ寸法で形成しているが、これらの幅寸法を異なる大きさとすることもできる。開口部の幅寸法を切欠部下端の幅寸法よりも大きくしたときは、結束用紐５を切欠部２２０へ案内しやすくなる利点が得られる。また、切欠部下端の幅寸法を開口部の幅寸法よりも大きくしたときは、上部に形成される意匠形成部２３をより大きくすることができ、開口部２２２を相対的に小さくすることで、結束用紐５の不慮の離脱を防止しやすくなる。
【００３５】
（実施例２）
次に本発明の実施例２に係るハトメ１を示す。図４は本発明の実施例２に係るハトメ１における装飾体２とハトメ基体３を示す斜視図、図５は同実施例２に係るハトメ１における装飾体２の（イ）平面図、（ロ）正面図（背面図は同一につき省略する。）、（ハ）右側面図（左側面図は同一につき省略する。）、図６は同実施例２に係るハトメ１の装飾体２における（イ）Ｂ−Ｂ断面図、（ロ）底面図、（ハ）装飾体２とハトメ基体３とを係着した状態を示す説明断面図である。
【００３６】
本実施例２に係るハトメ１は、金属製の装飾体２と金属製のハトメ基体３からなり、前記装飾体２及びハトメ基体３を、相互の係着部で取付対象生地４０を貫通挟持して一体となり、装飾体２は結束用紐５を通すための中央穴２（装飾体側中央穴２０）を形成する筒状の周壁２２を有し、該周壁２２の下端側の内側縁から内側へ係着部２１を延設している点で、実施例１に係る装飾体２と共通する。
【００３７】
また、本発明の実施例２に係るハトメ基体３の構成は、実施例１に係るハトメ基体３の構成と同様である。具体的には、平面視円形状の外径輪郭を有する板状体で、中央に基体側中央穴３２と筒状の係合脚３０を有するものである。ハトメ基体３を前記装飾体２の下方に位置させ、装飾体２とともに取付対象物４の取付対象生地４０を挟持貫通して、装飾体２の係着部２１に対してハトメ基体３の係合脚３０をかしめ止めすることによって、離脱不能な状態で係着するものである。
【００３８】
本実施例２に係るハトメ１における装飾体２の切欠部２２０は、結束用紐５の幅寸法ｗａと厚み寸法ｔａを確保した右幅寸法ｗｂ及び高さ寸法ｈｂの長穴形状輪郭を有する貫通穴２２１を、周壁２２の対向する二箇所に形成し、夫々の貫通穴２２１の上部中央位置から周壁２２の上端まで結束用紐５の厚み寸法ｗａを確保した一定の幅寸法ｗｃで連続する開口部２２２を形成している。
【００３９】
当該構成としたことによって、結束用紐５の側面側を開口部２２２へ進入させて貫通穴２２１へ結束用紐５を導入することができる。貫通穴２２１の周縁部と結束用紐５が当接することで、結束用紐５のずれを防止することができる。
【００４０】
また、一旦結束用紐５を貫通穴２２１内に導入すると、結束用紐５の左右両側の側端が貫通穴２２１内に入り込み、開口部２２２へ結束用紐５の左右両端が案内されることがないことから、結束用紐５が容易には貫通穴２２１内から離脱しないため、不慮の結束用紐５の外れを防止することができる。
【００４１】
（実施例３）
図７は本発明の実施例３に係るハトメ１における装飾体２とハトメ基体３を示す斜視図、図８は同実施例３に係るハトメ１における装飾体２の（イ）平面図、（ロ）正面図、（ハ）背面図、（ニ）Ｃ−Ｃ断面図、図９は同実施例３に係るハトメ１における装飾体２の（イ）底面図、（ロ）右側面図（左側面図は対称につき省略する。）及び、（ハ）装飾体２とハトメ基体３とを係着した状態を示す説明断面図である。
【００４２】
本発明の実施例３に係るハトメ１は、実施例２における構成と略共通するものであるが、装飾体２の切欠部２２０の構成が相違するものである。その他の構成は、前記した実施例２と共通する。
【００４３】
本実施例３に係るハトメ１における装飾体２における切欠部２２０は、結束用紐５の幅寸法ｗａと厚み寸法ｔａを確保した幅寸法ｗｂ及び高さ寸法ｈｂの長穴形状輪郭を有する貫通穴２２１を、周壁２２の対向する二箇所に形成し、夫々の貫通穴２２１の上部一端から周壁２２の上端まで結束用紐５の厚み寸法ｗａを確保した一定の幅寸法ｗｃで連続した開口部２２２を形成している。
【００４４】
本実施例３に係るハトメ１によれば、開口部２２２が貫通穴２２１の一端へ連続しているため、結束用紐５の側端の一方から開口部２２２へ進入させるのみで、貫通穴２２１へ結束用紐５を導入することができ、実施例２に係るハトメ１よりも更に円滑に結束用紐５を貫通穴２２１へ導入することができる。また、結束用紐５の左右両端は貫通穴２２１によってガイドされることから、不用意に貫通穴２２１内から結束用紐５が離脱することを防止することができる。
【００４５】
（実施例４）
次に、実施例４に係るハトメ１について示す。図１０は本発明の実施例４に係るハトメ１における装飾体２とハトメ基体３を示す斜視図、図１１は同実施例４に係るハトメ１における装飾体２の（イ）平面図、（ロ）正面図（背面図は同一につき省略する。）、（ハ）右側面図（左側面図は同一につき省略する。）、図１２は同実施例４に係るハトメ１における装飾体２の（イ）Ｄ−Ｄ断面図、（ロ）底面図、及び、（ハ）装飾体２とハトメ基体３とを係着した状態を示す説明断面図である。
【００４６】
本発明の実施例４に係るハトメ１は、実施例１、実施例２及び実施例３における構成と略共通するものであるが、装飾体２の切欠部２２０の構成が相違するものである。その他の構成は、前記した実施例２、３と共通する。
【００４７】
本実施例４に係るハトメ１における装飾体２における切欠部２２０は、結束用紐５の幅寸法ｗａと厚み寸法ｔａを確保した幅寸法ｗｂ及び高さ寸法ｈｂの長穴形状輪郭を有する貫通穴２２１を、周壁２２の対向する二箇所に形成した構成である。即ち、実施例２及び実施例３に係る発明に開示された開口部２２２を形成しない構成である。
【００４８】
このため、本実施例４に係るハトメ１の装飾体２は、側壁上面の全周囲に亘って、意匠を形成することができる構成である。また、開口部２２２を有しない構成であるため、結束用紐５が不用意に装飾体２から離脱する虞を完全になくすことができるものである。
【００４９】
（実施例５）
次に、実施例５に係るハトメ１について示す。図１３は本発明の実施例５に係るハトメ１における装飾体２とハトメ基体３を示す斜視図、図１４は同実施例５に係るハトメ１における装飾体２の（イ）平面図、（ロ）正面図（背面図は同一につき省略する。）、Ｅ−Ｅ断面図、図１５は同実施例５に係るハトメ１における装飾体２の（イ）底面図、（ロ）右側面図（左側面図は同一につき省略する。）、及び、Ｆ−Ｆ断面図、図１６は同実施例５に係る装飾体２とハトメ基体３とを係着した状態を示す説明断面図である。
【００５０】
本実施例５に係るハトメ１は、実施例１に開示した切欠部２２０と、実施例２に開示した切欠部２２０の双方を備えた構成である。即ち、切欠部２２０は平面視において円形輪郭の中心を軸として９０度間隔で四箇所に切欠部２２０を形成している。そして、相互に対向する二箇所の切欠部２２０は、結束用紐５の幅寸法ｗａに対応する幅寸法ｗｂで、且つ、結束用紐５の厚み寸法ｔａ以上の高さ寸法ｈｂとなるスリット形状の切欠部２２０とし、それ以外の相互に対向する二箇所の切欠部２２０は、結束用紐５の幅寸法ｗａと厚み寸法ｔａを確保した幅寸法ｗｄ及び高さ寸法ｈｄの長穴形状輪郭を有する貫通穴２２１の上部中央位置から周壁２２の上端まで結束用紐５の厚み寸法ｗａを確保した一定の幅寸法ｗｃで連続した開口部２２２を形成した切欠部２２０としている。
【００５１】
（実施例６）
本実施例６に係るハトメ１は、実施例１の変形例であって、図１９に示すように、意匠形成部２３と切欠部２２０を連続した曲面として、装飾体２の上部全体を波型形状としたものである。曲面のうち上方へ突出する部分が意匠形成部２３となり、曲面の意匠形成部２３以外の部分が切欠部２２０となる。
【００５２】
他の構成については、実施例１と共通し、結束用紐のずれや緩みを防止すること等によって、結束用紐の磨耗を防止し、結束用紐が表面側に施された意匠を隠すことなく、紐の向きを一定に位置決めすることができる利点を有する。
【００５３】
（実施例７）
本発明の実施例７に係るハトメ１は、基本構成として、上記実施例１乃至実施例６と係合部について相違する。実施例７に係るハトメの装飾体は、図２０、図２１及び図２３に示すように、係着部として係合脚を備えるものである。具体的には、底面のうち装飾体側中央穴の周縁から下方へ円筒状の係合脚を形成した構成である。
【００５４】
そしてハトメ基体は図２０、図２２及び図２３に示すように、前記装飾体の係合脚が変形して当接する係着部を底面（外部に露呈する面）側の基体側中央穴の周縁に薄厚部として形成している。当該構成とすることによって、かしめられた係合脚が装飾体に対して裏面側に位置することから、かしめ脚が外部（装飾体側）に露呈せず、外観体裁をより良好とすることができる。
【００５５】
次に本発明における使用形態について説明する。本発明の実施例４（前記図１０乃至図１２参照。）に係るハトメ１を取付対象物４となる半ズボンに適用した例を図２４（イ）に示す。ハトメ１は半ズボンにおける前部取付対象生地の左右に設けている。結束用紐５は、夫々ハトメの中央穴を連通し両端を外へ出した状態としている。
【００５６】
一方のハトメと結束用紐の一端との関係について、図２４（ロ）（ハ）に示す。結束用紐５は裏面側から中央穴（基体側中央穴）を通り、装飾体２の切欠部である貫通穴を通って外部へ導出される。貫通穴２２１の高さ寸法ｈｂと幅寸法ｗｂは、結束用紐５の厚み寸法ｔａ及び幅寸法ｗａと一致しているため、相互の摩擦抵抗によって貫通穴２２１によって結束用紐５のずれを防止することができる。
【００５７】
図２４（イ）においては、結束用紐５の両端を結んでいないが、結束用紐５の両端を結んで使用することもできる。結束用紐５の両端を結ぶことで、結束用紐５のずれにより不慮に結び目が解かれる虞をなくすことができる。
【００５８】
また、本発明の他の使用形態について、図２５の斜視図に示す。図２５は本発明の実施例２に係るハトメを取付対象物である靴に適用した例を示すものである。ハトメに形成した切欠部によって、結束用紐である靴紐は所定方向にガイドされ、周方向へのずれを生じず、また切欠部の幅寸法ｗｂと高さ寸法ｈｂが結束用紐の幅寸法ｗａ及び厚み寸法ｔａと一致していることによって靴紐の引張方向へのずれや緩みを招来し難い構成としている。
【００５９】
尚、本使用形態においては、実施例２に係るハトメのような切欠部を二箇所に設けたものに限らず、一箇所のみに設けたものを利用することもできる。
【００６０】
本発明におけるハトメ１は上記実施例に限るものではない。例えば、装飾体２に形成される切欠部２２０は一箇所以上であれば何箇所とすることもできる。また、平面視において装飾体側中央穴２０を軸中心として９０°（０．５πラジアン）間隔とするものに限らず、１２０°等のように複数等分間隔位置に配置したり、或いは平面視において装飾体側中央穴２０を軸中心として不等間隔で配置することもできる。
【００６１】
また、切欠部２２０の幅寸法ｗｂが結束用紐５の幅寸法ｗａよりも小さくても、結束用紐５の可撓性、伸縮性等を利用して結束用紐５を切欠部２２０に通すことができればよい。開口部２２２を形成するものであれば、開口部２２２の大きさは特に限定するものではない。
【００６２】
更に、複数の切欠部２２０の形状を一つの装飾体２に使用する点については、実施例５に係る切欠部２２０に限らず、他の実施例に開示した形状の切欠部２２０を使用することもできる。
【００６３】
また、本発明に於いては、切欠部２２０を一つのハトメ１当たり二箇所以上に設けることによって、例えば図２６（イ）（ロ）に示すように、一つのハトメ１の複数の切欠部２２０上を連続して結束用紐５を通し、意匠性を向上させる手段として利用することができる。
【００６４】
当該意匠性を向上させる手段として利用することについては、切欠部２２０の形状は本発明の各実施例に示したものに限らず、それらを組み合わせたもの等を用いることができる。
【００６５】
更に本発明においては、装飾体の意匠形成面のみならず、ハトメ基体の底面３３も装飾効果を有するハトメ基体側意匠形成部として利用することができる。当該構成とすることによって、取付対象生地の表面側、裏面側の双方において、意匠による美感を起こさせることができる。
【図面の簡単な説明】
【００６６】
【図１】本発明の実施例１に係るハトメ１における装飾体２とハトメ基体３を示す斜視図である。
【図２】本発明の実施例１に係るハトメ１における装飾体２の（イ）平面図、（ロ）Ａ−Ａ断面図、（ハ）正面図（背面図、右側面図、左側面図は同一につき省略する。）である。
【図３】本発明の実施例１に係るハトメ１における装飾体２の（イ）底面図、及び、（ロ）装飾体２とハトメ基体３とを係着した状態を示す説明断面図、（ハ）結束用紐を通した状態を示す一部断面説明図である。
【図４】本発明の実施例２に係るハトメ１における装飾体２とハトメ基体３を示す斜視図である。
【図５】本発明の実施例２に係るハトメ１における装飾体２の（イ）平面図、（ロ）正面図（背面図は同一につき省略する。）（ハ）右側面図（左側面図は同一につき省略する。）である。
【図６】本発明の実施例２に係るハトメ１の装飾体２における（イ）Ｂ−Ｂ断面図、（ロ）底面図、（ハ）装飾体２とハトメ基体３とを係着した状態を示す説明断面図である。
【図７】本発明の実施例３に係るハトメ１における装飾体２とハトメ基体３を示す斜視図である。
【図８】本発明の実施例３に係るハトメ１における装飾体２の（イ）平面図、（ロ）正面図、（ハ）背面図、（ニ）Ｃ−Ｃ断面図である。
【図９】本発明の実施例３に係るハトメ１における装飾体２の（イ）底面図、（ロ）右側面図（左側面図は対称につき省略する。）及び、（ハ）装飾体２とハトメ基体３とを係着した状態を示す説明断面図である。
【図１０】本発明の実施例４に係るハトメ１における装飾体２とハトメ基体３を示す斜視図である。
【図１１】本発明の実施例４に係るハトメ１における装飾体２の（イ）平面図、（ロ）正面図（背面図は同一につき省略する。）、（ハ）右側面図（左側面図は同一につき省略する。）である。
【図１２】本発明の実施例４に係るハトメ１における装飾体２の（イ）Ｄ−Ｄ断面図、（ロ）底面図、及び、（ハ）装飾体２とハトメ基体３とを係着した状態を示す説明断面図である。
【図１３】本発明の実施例５に係るハトメ１における装飾体２とハトメ基体３を示す斜視図である。
【図１４】本発明の実施例５に係るハトメ１における装飾体２の（イ）平面図、（ロ）正面図（背面図は同一につき省略する。）、Ｅ−Ｅ断面図である。
【図１５】本発明の実施例５に係るハトメ１における装飾体２の（イ）底面図、（ロ）右側面図（左側面図は同一につき省略する。）、及び（ハ）Ｆ−Ｆ断面図である。
【図１６】本発明の実施例５に係るハトメにおける装飾体２とハトメ基体３とを係着した状態を示す説明断面図である。
【図１７】本発明の実施例１乃至実施例６に用いたハトメ基体の（イ）正面図（背面図、右側面図、左側面図は同一につき省略。）、平面図、底面図、Ｇ−Ｇ断面図である。
【図１８】本発明の実施例６に係るハトメ１における装飾体２とハトメ基体３を示す斜視図である。
【図１９】本発明の実施例６に係るハトメ１における装飾体２の（イ）平面図、（ロ）底面図、（ハ）正面図（背面図、右側面図、左側面図は同一につき省略する。）、（ニ）Ｎ−Ｎ断面図である。
【図２０】本発明の実施例７に係るハトメ１における装飾体２とハトメ基体３を示す斜視図である。
【図２１】本発明の実施例７に係るハトメ１における装飾体２の（イ）平面図、（ロ）底面図、（ハ）Ｌ−Ｌ断面図、（ニ）正面図（背面図、右側面図、左側面図は同一につき省略する。）である。
【図２２】本発明の実施例７に係るハトメ基体３の（イ）平面図、（ロ）底面図、（ハ）正面図（背面図、右側面図及び左側面図は同一につき省略。）、（ニ）Ｍ−Ｍ断面図である。
【図２３】本発明の実施例７に係るハトメ１の取付対象生地に対する（イ）取付前の構成、（ロ）取付状態を示す縦断面説明図である。
【図２４】本発明の実施例４に係るハトメを取付対象物となる半ズボンに適用した形態を示す（イ）正面図、（ロ）そのＨ−Ｈ断面図、（ハ）平面図を示すものである。
【図２５】本発明の実施例４に係る複数のハトメの複数の切欠部２２０に連続して結束用紐５を通した状態を示す斜視図である。
【図２６】本発明の実施例４に係る複数のハトメの複数の切欠部２２０に連続して結束用紐５を通した状態を示す（イ）平面図、（ロ）Ｊ−Ｊ断面図である。
【図２７】従来のハトメを取付対象生地に固着し、結束用紐を中央穴に通した状態を示す参考断面図である。
【符号の説明】
【００６７】
１        ハトメ
２        装飾体
２０      装飾体側中央穴
２１      係着部
２１Ａ    係着部（係合脚）
２２      周壁
２２０    切欠部
２２１    貫通穴
２２２    開口部
２３      意匠形成部
３        ハトメ基体
３０      係着部（係合脚）
３０Ａ    係着部
３１      板状体
３２      基体側中央穴
３３      底面
４        取付対象物
４０      取付対象生地
５        結束用紐
ｔａ        厚み寸法（結束用紐）
ｗａ        幅寸法（結束用紐）
ｈｂ        高さ寸法（切欠部又は貫通穴）
ｗｂ        幅寸法（切欠部又は貫通穴）
ｗｃ        幅寸法（開口部）
【図１】
0004597913.tif 000002
【図２】
0004597913.tif 000003
【図３】
0004597913.tif 000004
【図４】
0004597913.tif 000005
【図５】
0004597913.tif 000006
【図６】
0004597913.tif 000007
【図７】
0004597913.tif 000008
【図８】
0004597913.tif 000009
【図９】
0004597913.tif 000010
【図１０】
0004597913.tif 000011
【図１１】
0004597913.tif 000012
【図１２】
0004597913.tif 000013
【図１３】
0004597913.tif 000014
【図１４】
0004597913.tif 000015
【図１５】
0004597913.tif 000016
【図１６】
0004597913.tif 000017
【図１７】
0004597913.tif 000018
【図１８】
0004597913.tif 000019
【図１９】
0004597913.tif 000020
【図２０】
0004597913.tif 000021
【図２１】
0004597913.tif 000022
【図２２】
0004597913.tif 000023
【図２３】
0004597913.tif 000024
【図２４】
0004597913.tif 000025
【図２５】
0004597913.tif 000026
【図２６】
0004597913.tif 000027
【図２７】
0004597913.tif 000028